(57)【要約】【課題】  音質に好ましい影響を与える振動を励起し、かつ、一方で、音質に好ましくない振動を抑制する補強構造を備えたスピーカーキャビネットを提供する。【解決手段】  スピーカーキャビネットの背面板が、側面板との境界を規定する周囲稜線に囲まれるほぼ一定厚みＺを有する背面平面と、背面平面から突出して形成される補強リブと、を備え、補強リブが、その長さ方向Ｘに高さＴが変化する斜面部を両端に備える主リブと、主リブの第１分岐点のリブ側面から枝分かれするように形成されて、かつ、その終端に斜面部を備える第１副リブと、主リブの第１分岐点とは異なる位置である第２分岐点の第１副リブが形成されたリブ側面とは反対側のリブ側面から枝分かれするように形成されて、かつ、その終端に斜面部を備える第２副リブと、を有し、補強リブの斜面部を備える全ての端部が、周囲稜線に到達しない位置に配置されている。【選択図】  図１
2007123963.tif 000002
【特許請求の範囲】
【請求項１】
スピーカーを取り付けるバッフル板と、該バッフル板に取り付けられる側面板と、樹脂成形されて該側面板に取り付けられる背面板と、
を備える、スピーカーキャビネットであって、
該背面板が、該側面板との境界を規定する周囲稜線に囲まれるほぼ一定厚みＺを有する背面平面と、該背面平面から突出して形成される補強リブと、を備え、
該補強リブが、その長さ方向Ｘに高さＴが変化する斜面部を両端に備える主リブと、
該主リブの第１分岐点のリブ側面から枝分かれするように形成されて、かつ、その終端に斜面部を備える第１副リブと、
該主リブの第１分岐点とは異なる位置である第２分岐点の該第１副リブが形成されたリブ側面とは反対側のリブ側面から枝分かれするように形成されて、かつ、その終端に斜面部を備える第２副リブと、を有し、
該補強リブの斜面部を備える全ての端部が、該周囲稜線に到達しない位置に配置されている、スピーカーキャビネット。
【請求項２】
前記主リブの全長Ｌ０が、該主リブの長さ方向Ｘにおける前記背面平面の周囲稜線間の距離Ｘ０の１／２倍以上９／１０倍以下の長さである、
請求項１に記載のスピーカーキャビネット。
【請求項３】
前記主リブの全長Ｌ０が、該主リブの長さ方向Ｘにおける前記背面平面の周囲稜線間の距離Ｘ０の３／５倍以上４／５倍以下の長さである、
請求項２に記載のスピーカーキャビネット。
【請求項４】
前記主リブの前記第１分岐点と前記第２分岐点との離隔距離Ｌ３が、前記主リブの全長Ｌ０の１／１０倍以上１／２倍以下の長さである、
請求項１から３のいずれかに記載のスピーカーキャビネット。
【請求項５】
前記主リブおよび前記第１副リブが、もしくは、該主リブおよび前記第２副リブが、直交するように形成されている、請求項１から４のいずれかに記載のスピーカーキャビネット。
【請求項６】
前記第１副リブ、もしくは、前記第２副リブが、それぞれに備える分岐点からさらに枝分かれする枝リブを備える、請求項１から５のいずれかに記載のスピーカーキャビネット。
【請求項７】
前記主リブの高さＴの最大値Ｔｍａｘが、前記背面平面の厚みＺ以上である、請求項１から６のいずれかに記載のスピーカーキャビネット。
【請求項８】
前記補強リブのいずれの位置における高さＴ方向の断面が、曲線で面取りされた稜線を備える、請求項１から７のいずれかに記載のスピーカーキャビネット。
【請求項９】
スピーカーと、請求項１から８のいずれかに記載のスピーカーキャビネットと、を備えるスピーカーシステム。
【発明の詳細な説明】
【技術分野】
【０００１】
本発明は、背面方向への寸法が制限された薄型のスピーカーキャビネットを備えるスピーカーシステムに関し、特に、樹脂成形されて面積が広い背面平面を有する背面板を備えるスピーカーキャビネットおよびこれを用いたスピーカーシステムに関する。
【背景技術】
【０００２】
スピーカーキャビネットを備えるスピーカーシステムにおいて、バッフル板に取り付けられたスピーカーの振動がスピーカーキャビネットの背面板に伝搬し、背面板の振動放射音がスピーカーシステムの音質に影響を与えることが知られている。
【０００３】
従来には、スピーカーシステムの音質を好ましく調整するために、スピーカーキャビネットの背面板の振動を励起、または、抑制する補強構造が採用されることがある。例えば、背面板の厚みを部分的に変更する、補強桟もしくは補強リブを設ける、等の補強構造がある。
【０００４】
また、従来には、スピーカーキャビネットの背面板を複数の柾板から構成し、柾板を横切る棒材を設ける等の構造が施される場合がある（特許文献１）。
【０００５】
【特許文献１】特開平１０−１３９８０号公報  （第１図）
【０００６】
背面方向への寸法が制限された薄型のスピーカーシステムでは、十分なスピーカーキャビネットの体積を確保するためにバッフル板ならびに背面が広い面積を備えるので、背面板の振動放射音がスピーカーシステムの音質に与える影響が大きくなる。特に、スピーカーキャビネットが、樹脂成形されて面積が広い背面平面を有する背面板を備える場合には、背面平面の板厚が薄くて振動しやすいため、背面板の振動を励起または抑制する補強構造を背面板と一体に成形し、音質に好ましい影響を与える振動を励起し、一方で、音質に好ましくない振動を抑制しなければならない、という問題がある。
【発明の開示】
【発明が解決しようとする課題】
【０００７】
本発明は、上記の従来技術が有する問題を解決するためになされたものであり、その目的は、特に、音質に好ましい影響を与える振動を励起し、かつ、一方で、音質に好ましくない振動を抑制する補強構造を、樹脂成形されて面積が広い背面平面を有する背面板に備えた、スピーカーキャビネットおよびこれを用いたスピーカーシステムを提供することにある。
【課題を解決するための手段】
【０００８】
本発明のスピーカーキャビネットは、スピーカーを取り付けるバッフル板と、バッフル板に取り付けられる側面板と、樹脂成形されて側面板に取り付けられる背面板と、を備えるスピーカーキャビネットであって、背面板が、側面板との境界を規定する周囲稜線に囲まれるほぼ一定厚みＺを有する背面平面と、背面平面から突出して形成される補強リブと、を備え、補強リブが、その長さ方向Ｘに高さＴが変化する斜面部を両端に備える主リブと、主リブの第１分岐点のリブ側面から枝分かれするように形成されて、かつ、その終端に斜面部を備える第１副リブと、主リブの第１分岐点とは異なる位置である第２分岐点の第１副リブが形成されたリブ側面とは反対側のリブ側面から枝分かれするように形成されて、かつ、その終端に斜面部を備える第２副リブと、を有し、補強リブの斜面部を備える全ての端部が、周囲稜線に到達しない位置に配置されている。
【０００９】
好ましくは、本発明のスピーカーキャビネットは、主リブの全長Ｌ０が、主リブの長さ方向Ｘにおける背面平面の周囲稜線間の距離Ｘ０の１／２倍以上９／１０倍以下の長さである。
【００１０】
好ましくは、本発明のスピーカーキャビネットは、主リブの全長Ｌ０が、主リブの長さ方向Ｘにおける背面平面の周囲稜線間の距離Ｘ０の３／５倍以上４／５倍以下の長さである。
【００１１】
好ましくは、本発明のスピーカーキャビネットは、主リブの第１分岐点と第２分岐点との離隔距離Ｌ３が、主リブの全長Ｌ０の１／１０倍以上１／２倍以下の長さである。
【００１２】
また、好ましくは、本発明のスピーカーキャビネットは、主リブおよび第１副リブが、もしくは、主リブおよび第２副リブが、直交するように形成されている。
【００１３】
好ましくは、本発明のスピーカーキャビネットは、第１副リブ、もしくは、第２副リブが、それぞれに備える分岐点からさらに枝分かれする枝リブを備える。
【００１４】
好ましくは、本発明のスピーカーキャビネットは、主リブの高さＴの最大値Ｔｍａｘが、背面平面の厚みＺ以上である。
【００１５】
好ましくは、本発明のスピーカーキャビネットは、補強リブのいずれの位置における高さＴ方向の断面が、曲線で面取りされた稜線を備える。
【００１６】
また、本発明のスピーカーシステムは、スピーカーと、上記のいずれかに記載のスピーカーキャビネットと、を備える。
【００１７】
以下、本発明の作用について説明する。
【００１８】
本発明のスピーカーキャビネットは、スピーカーを取り付けるバッフル板と、バッフル板に取り付けられる側面板と、樹脂成形されて側面板に取り付けられる背面板と、を備える。背面板は、側面板との境界を規定する周囲稜線に囲まれるほぼ一定厚みＺを有する背面平面と、背面平面から突出して形成される補強リブとが樹脂成形されており、側面板が一体に樹脂成形されているものを含む。ここで、背面平面を補強する補強リブは、音質に好ましい影響を与える低次振動モードに伴う振動を励起し、かつ、一方で、音質に好ましくない高次振動モードに伴う振動を抑制する補強構造を形成する。背面平面に低次振動モードに伴う振動が励起され、一方で背面平面の高次振動モードに伴う振動が抑制されることにより、聴感上で重心の下がった好ましい低音感が得られる。
【００１９】
具体的には、補強リブは、主リブと、主リブの第１分岐点のリブ側面から枝分かれするように形成される第１副リブと、主リブの第１分岐点とは異なる位置である第２分岐点の第１副リブが形成されたリブ側面とは反対側のリブ側面から枝分かれするように形成される第２副リブと、を有している。主リブの全長Ｌ０は、主リブの長さ方向Ｘにおける背面平面の周囲稜線間の距離Ｘ０に対して、好ましい長さに設定される。また、第１副リブならびに第２副リブは、主リブの異なる位置から、主リブの長さ方向と異なる方向に枝分かれするように形成されている。また、補強リブの全ての端部は、周囲稜線に到達しない位置に配置されている。
【００２０】
その結果、補強リブは、樹脂成形されて面積が広い背面平面の中央付近に配置される主リブの周辺と、主リブから枝分かれした第１副リブならびに第２副リブの周辺とを強化し、周囲稜線付近は強化しないので、周囲稜線を節とする低次モードに伴う振動を励起し、一方で、高次振動モードに伴う振動を抑制する補強構造を形成する。したがって、背面方向への寸法が制限された薄型のスピーカーキャビネットの場合に、樹脂成形されて面積が広い背面平面を有する背面板を備えていても、音質に優れたスピーカーシステムを提供することができる。
【００２１】
補強リブの主リブは、その長さ方向Ｘに高さＴが変化する斜面部を両端に備え、第１副リブおよび第２副リブは、それぞれの終端に高さＴが変化する斜面部を備えるように形成される。また、主リブの高さＴの最大値Ｔｍａｘは、背面平面の厚みＺの２倍よりも高く、主リブ、第１副リブ、および、第２副リブの高さは、それぞれの長さ方向に渡って変化する。さらに、補強リブのいずれの位置における高さＴ方向の断面が、曲線で面取りされた稜線を備える。したがって、補強リブでは、高次振動モードが分散され、もしくは、高い周波数における振動波の反射が少なくなる。その結果、高次振動モードに伴う振動を抑制することができ、音質に優れたスピーカーシステムが提供される。
【発明の効果】
【００２２】
本発明のスピーカーキャビネットおよびこれを用いたスピーカーシステムは、樹脂成形されて面積が広い背面平面を有する背面板に、音質に好ましい影響を与える振動を励起し、かつ、一方で、音質に好ましくない振動を抑制する補強構造を備えるので、音質に優れたスピーカーシステムが提供される。
【発明を実施するための最良の形態】
【００２３】
本発明のスピーカーキャビネットは、音質に優れたスピーカーシステムを提供するという目的を、樹脂成形される背面板が、側面板との境界を規定する周囲稜線に囲まれるほぼ一定厚みＺを有する背面平面と、背面平面から突出して形成される補強リブと、を備え、補強リブが、その長さ方向Ｘに高さＴが変化する斜面部を両端に備える主リブと、主リブの第１分岐点のリブ側面から枝分かれするように形成されて、かつ、その終端に斜面部を備える第１副リブと、主リブの第１分岐点とは異なる位置である第２分岐点の第１副リブが形成されたリブ側面とは反対側のリブ側面から枝分かれするように形成されて、かつ、その終端に斜面部を備える第２副リブと、を有し、補強リブの斜面部を備える全ての端部が、周囲稜線に到達しない位置に配置されているようにすることにより、実現した。
【００２４】
以下、本発明の好ましい実施形態によるスピーカーキャビネットおよびこれを用いたスピーカーシステムについて説明するが、本発明はこれらの実施形態には限定されない。
【実施例１】
【００２５】
図１は、本発明の好ましい実施形態による長方形薄型のスピーカーキャビネット１０について説明する図である。図１（ａ）はスピーカーキャビネット１０の正面図であり、また、図１（ｂ）はＡ−Ａ’断面図、図１（ｃ）はＢ−Ｂ’断面図である。スピーカーキャビネット１０は、樹脂成形されたバッフル板１１と、側面板１５ならびに背面板１６とが一体に樹脂成形されたキャビネット部材１４と、を備える。なお、図１（ａ）では、バッフル板１１の背面側に位置するキャビネット部材１４の形状が、点線で透過するように描かれている。
【００２６】
バッフル板１１はキャビネット部材１４の側面板１５の前面側に取り付けられ、スピーカー取付孔１２および１３が形成され、これらのスピーカー取付孔１２および１３には、それぞれ（図示しない）ツィーター（高音域用スピーカー）２および（図示しない）ウーファー（低音域用スピーカー）３が取り付けられて、スピーカーシステム１（図示しない）が構成される。このスピーカーキャビネット１０では、側面板１５の奥行き方向の長さに比較して、バッフル板１１ならびに背面板１６の幅および高さが長く面積が広いので、いわば薄型のスピーカーシステム１が構成される。なお、スピーカーキャビネット１０には、（図示しない）ターミナルや吸音材等の部品が取り付けられ、スピーカーシステム１を構成するが、本実施例の説明においては省略する。
【００２７】
図２は、キャビネット部材１４について説明する図である。図２（ａ）はキャビネット部材１４についての正面図であり、また、図２（ｂ）はＡ−Ａ’断面図、図２（ｃ）はＢ−Ｂ’断面図、図２（ｄ）は図２（ｃ）の点線で囲われた部分の部分拡大図である。キャビネット部材１４の背面板１６は、側面板１５との境界を規定する周囲稜線１７に囲まれるほぼ一定厚みＺを有する背面平面１８と、背面平面１８から突出して形成される補強リブ１９とが樹脂成形されている。側面板１５と背面板１６とが接合する角部分は、樹脂が型内で円滑に流れるように面取りされているので、ほぼ一定厚みＺを有する背面平面１８を囲む周囲稜線１７は、図２（ａ）において点線で表されるように、側面板１５の少し内側に形成される。なお、キャビネット部材１４を形成する樹脂がＡＢＳ（アクリロニトリルブタジエンスチレン共重合体）もしくはＰＰ（ポリプロピレン）である場合には、背面板１６の背面平面１８の厚みＺは、好ましくは約２．０ｍｍ〜約４．０ｍｍの範囲であり、側面板１５も背面平面１８とほぼ同様の厚みを有する。
【００２８】
本実施例において、キャビネット部材１４が備える補強リブ１９は、背面平面１８からスピーカーキャビネット１０の内側に突出するように形成されている３本の略梁状のリブ（主リブ２０、第１副リブ２１、および、第２副リブ２２）の集合体である。つまり、補強リブ１９は、主リブ２０と、主リブ２０の第１分岐点２１ａのリブ側面２０１から枝分かれするように形成される第１副リブ２１と、主リブ２０の第２分岐点２２ａの第１副リブ２１が形成されたリブ側面２０１とは反対側のリブ側面２０２から枝分かれするように形成される第２副リブ２２と、を有している。本実施例の補強リブ１９では、第１副リブ２１ならびに第２副リブ２２が、それぞれ主リブ２０に直交するように形成されている。
【００２９】
ここで、主リブ２０の長さ方向をＸとすると、主リブ２０のＸ方向の全長Ｌ０は、方向Ｘにおける背面平面１８の周囲稜線１７間の距離Ｘ０に対して、後述するように、好ましい長さに設定される。また、第１副リブ２１ならびに第２副リブ２２は、主リブ２０の異なる位置（第１分岐点２１ａならびに第２分岐点２２ａ）から、主リブ２０の長さ方向Ｘと直交する方向に、それぞれ枝分かれするように形成されている。また、これも後述するように、第１副リブ２１および第２副リブ２２の全長は、それぞれ、図示したＬ１およびＬ２であり、補強リブ１９の全ての端部（２０ａ，２０ｂ，２１ｂ，２２ｂ）は、背面平面１８内の周囲稜線１７に到達しない位置に配置されている。
【００３０】
補強リブ１９の主リブ２０は、好ましくは幅Ｗ０が約１．０ｍｍ〜約３．０ｍｍの略梁状のリブであり、第１分岐点２１ａならびに第２分岐点２２ａを含む高さＴが一定の中心部２０３と、中心部２０３の両端に形成され、その長さ方向Ｘに高さＴが変化する斜面部２０４および２０５を備える。主リブ２０の中心部２０３のリブ高さの最大値Ｔｍａｘが、背面平面の厚みＺ以上に高く形成されるのが好ましい。また、斜面部２０４および２０５では、その長さ方向Ｘに高さＴが変化するので、その結果、主リブ２０の断面方向の高さＴは、零（０）から最大値Ｔｍａｘまで変化する。さらに、主リブ２０の断面は、樹脂型の抜き勾配に伴う略台形の断面形状を備え、例えば、図２（ｄ）に示すように、リブ側面２０１、中心部２０３、および、リブ側面２０２を構成する平面が曲線で面取りされた稜線を備え、例えば、Ｒ０．５ｍｍ〜Ｒ１．０ｍｍの円弧で連続している。なお、斜面部２０４および２０５におけるいずれの位置における高さＴ方向の断面も、曲線で面取りされた稜線を備える。
【００３１】
また、補強リブ１９の第１副リブ２１は、好ましくは幅Ｗ１が約１．０ｍｍ〜約３．０ｍｍの略梁状のリブであり、主リブ２０の第１分岐点２１ａのリブ側面２０１から枝分かれするように形成され、高さＴが一定の中心部２１１と、その長さ方向（Ｘ方向と直交する方向）に高さＴが変化する斜面部２１２を備える。中心部２１１のリブ高さは、主リブ２０の中心部２０３のリブ高さＴｍａｘに等しく形成されるのが好ましい。また、斜面部２１２では、その長さ方向に高さＴが変化するので、その結果、第１副リブ２１の断面方向の高さＴは、主リブ２０の断面方向の高さと同様に、零（０）から最大値Ｔｍａｘまで変化する。さらに、第１副リブ２１のいずれの位置における高さＴ方向の断面は、主リブ２０の断面と同様に、樹脂型の抜き勾配によって略台形の断面形状を備え、第１副リブ２１を構成するそれぞれの平面が曲線で面取りされた稜線を備える。
【００３２】
また、補強リブ１９の第２副リブ２２は、好ましくは幅Ｗ２が約１．０ｍｍ〜約３．０ｍｍの略梁状のリブであり、主リブ２０の第１分岐点２１ａとは異なる位置の第２分岐点２２ａの第１副リブ２１が形成されたリブ側面２０１とは反対側のリブ側面２０２から枝分かれするように形成され、高さＴが一定の中心部２２１と、その長さ方向（Ｘ方向と直交する方向）に高さＴが変化する斜面部２２２を備える。中心部２２１のリブ高さは、主リブ２０の中心部２０３のリブ高さＴｍａｘに等しく形成されるのが好ましい。また、斜面部２２２では、その長さ方向に高さＴが変化するので、その結果、第１副リブ２１の断面方向の高さＴは、主リブ２０の断面方向の高さと同様に、零（０）から最大値Ｔｍａｘまで変化する。さらに、第２副リブ２２のいずれの位置における高さＴ方向の断面は、主リブ２０ならびに第１副リブ２１の断面と同様に、樹脂型の抜き勾配によって略台形の断面形状を備え、第２副リブ２２を構成するそれぞれの平面が曲線で面取りされた稜線を備える。
【００３３】
例えば、薄型スピーカーキャビネット１０において、Ｘ方向の背面平面１８の周囲稜線１７間の距離Ｘ０が約１８５．０ｍｍである場合には、主リブ２０の全長Ｌ０が、距離Ｘ０の１／２倍以上９／１０倍以下の長さ、つまり、約９２．５ｍｍ〜約１６６．５ｍｍの範囲であるのが好ましい。さらに好ましくは、主リブ２０の全長Ｌ０が、距離Ｘ０の３／５倍以上４／５倍以下の長さ、つまり、約１１１．０ｍｍ〜約１４８．０ｍｍの範囲であるのが好ましい。具体的に、本実施例において、主リブ２０の全長Ｌ０は距離Ｘ０の約７／１０倍である約１３４．０ｍｍ、第１副リブ２１の全長Ｌ１は約６４．０ｍｍ、第２副リブ２２の全長Ｌ２は約６４．０ｍｍである。
【００３４】
また、主リブ２０の第１分岐点２１ａと第２分岐点２２ａとの離隔距離Ｌ３は、主リブ２０の全長Ｌ０の１／１０倍以上１／２倍以下の長さ、つまり、約１８．５ｍｍ〜約９２．５ｍｍの範囲であるのが好ましく、具体的に本実施例においては、主リブ２０の全長Ｌ０の約１／５倍である約３０．０ｍｍである。このとき、第１分岐点２１ａならびに第２分岐点２２ａを含む高さＴが一定の中心部２０３の長さは、約４０．０ｍｍであり、その長さ方向Ｘに高さＴが変化する斜面部２０４および２０５の長さは、それぞれ約４７．０ｍｍである。主リブ２０の斜面部２０４および２０５の長さは、本実施例のように等しくてもよく、また、異なっていてもよい。
【００３５】
上記に説明した構成から、補強リブ１９は、樹脂成形されて面積が広い背面平面１８の中央付近に配置される主リブ２０の周辺と、主リブ２０から枝分かれした第１副リブ２１ならびに第２副リブ２２の周辺とを強化し、周囲稜線１７の付近は強化しない。また、補強リブ１９の形状から、高次振動モードが分散され、もしくは、高い周波数における振動波の反射が少なくなる。したがって、補強リブ１９は、周囲稜線１７を節とする低次モードに伴う振動を励起し、一方で、高次振動モードに伴う振動を抑制する補強構造を形成する。その結果、背面方向への寸法が制限された薄型のスピーカーキャビネット１０の場合に樹脂成形されて面積が広い背面平面１８を有する背面板１６を備えていても、音質に優れたスピーカーシステム１を提供することができる。
【００３６】
図３は、キャビネット部材１４の背面平面１８が振動した場合に放射する音波の周波数特性を表すグラフである。図３（ａ）は本実施例における補強リブ１９を備えるキャビネット部材１４の場合であり、図３（ｂ）は比較例としての従来の補強リブを備えたキャビネット部材の場合である。ここで比較例の従来の補強リブとは、本実施例の補強リブ１９の主リブ２０、第１副リブ２１ならびに第２副リブ２２に似た配置のリブであるが、端部に斜面部を備えず、補強リブの全ての端部が周囲稜線に到達して配置され、側面板とも結合しているリブである。これらのキャビネット部材を備えるスピーカーシステムにおいて、振動を生じるスピーカーにノイズ信号を加え、背面平面１８が振動して生じる放射音を、背面平面１８の近傍で測定して周波数分析した結果である。測定した近傍放射音には、背面平面１８の振動モードに伴って大きな振動が生じる周波数において高いレベル成分が現れており、顕著に表れる低次振動モード（約１３５Ｈｚ：グラフ中の左側矢印）と、レベルは低くても音質に影響する高次振動モード（約２ｋＨｚ以上）が観測される。本実施例の場合と比較例の場合を比較検討すると、低次振動モードは若干ながら励起され、高次振動モードは約３ｋＨｚ以上で全体的に抑制され、グラフ中の右側矢印付近（約１０ｋＨｚ）で顕著である。また、試聴による音質の検討結果からも、本実施例の補強リブ１９を備えるキャビネット部材１４の方が、重心の低い、耳障りな音色を伴わない振動音となる。したがって、スピーカーシステム１を構成した場合においても、本実施例の補強リブ１９を備えるキャビネット部材１４を用いた場合の方が、音質に優れたスピーカーシステム１が実現される。
【００３７】
補強リブ１９を備えるキャビネット部材１４は、図１に示した本実施例のように主リブ２０が長方形のキャビネット部材１４の背面板１６のほぼ中央に、長方形の辺にほぼ平行に配置される場合に限定されない。図４（ａ）は、その他のキャビネット部材１４についての正面図であり、長方形のキャビネット部材１４の背面板１６に備わる補強リブ１９の主リブ２０が、長方形の辺に対して斜めに設けられている。また、図４（ｂ）は、キャビネット部材１４が丸い外形寸法をもつ背面板１６ならびに円筒状の側面板１５を備える、その他の実施例について説明する図である。これらのように、樹脂成形されて面積が広い背面平面１８を有する背面板１６を備えていても、スピーカーキャビネット１０が背面板１６に補強リブ１９を備えることにより、周囲稜線１７を節とする低次モードに伴う振動を励起し、一方で、高次振動モードに伴う振動を抑制し、音質に優れたスピーカーシステム１が実現される。
【００３８】
また、補強リブ１９を構成する主リブ２０と、第１副リブ２１および第２副リブ２２は、上記の略梁状のリブに限られない。背面平面１８から突出して形成されるリブであれば、湾曲した円弧状のリブや、波状のリブであってもよい。主リブ２０がその長さ方向Ｘに高さＴが変化する斜面部２０４および２０５を両端に備え、主リブ２０の第１分岐点２１ａのリブ側面２０１から枝分かれするように形成されて、かつ、その終端に斜面部２１２を備える第１副リブ２１と、主リブ２０の第１分岐点２１ａとは異なる位置である第２分岐点２２ａの第１副リブ２１が形成されたリブ側面２０１とは反対側のリブ側面２０２から枝分かれするように形成されて、かつ、その終端に斜面部２２２を備える第２副リブ２２と、を有し、補強リブ１９の斜面部を備える全ての端部が、周囲稜線１７に到達しない位置に配置されていればよい。周囲稜線１７を節とする低次モードに伴う振動を励起し、一方で、高次振動モードに伴う振動を抑制し、音質に優れたスピーカーシステム１が実現される。
【実施例２】
【００３９】
図５は、本発明の他の好ましい実施形態による長方形薄型のスピーカーキャビネットを構成するキャビネット部材３４について説明する正面図である。本実施例のキャビネット部材３４は、側面板１５ならびに背面板１６が一体に樹脂成形された実施例１のキャビネット１４と、補強リブ３９の形状が異なる点を除いて共通であるので、共通する部分の説明は省略する。補強リブ３９は、実施例１の補強リブ１９と比較して、第１副リブ２１の分岐点２３ａからさらに枝分かれする枝リブ２３と、第２副リブ２２の分岐点２４ａからさらに枝分かれする枝リブ２４と、を備える。
【００４０】
枝リブ２３は、図示したように、第１副リブ２１の斜面部２１２に設けられた分岐点２３ａからさらに枝分かれすればよいが、高さＴが一定の中心部２１１に設けられた分岐点からさらに枝分かれしてもよい。枝リブ２３は、第１副リブ２１の長さ方向と異なる方向に枝分かれするように形成される。また、枝リブ２３の端部２３ｂは斜面部を形成し、端部２３ｂが周囲稜線１７に到達しない位置に配置されていればよい。
【００４１】
また、枝リブ２４は、枝リブ２３と同様に、第２副リブ２２の斜面部２２２に設けられた分岐点２４ａからさらに枝分かれすればよいが、高さＴが一定の中心部２２１に設けられた分岐点からさらに枝分かれしてもよい。枝リブ２４は、第２副リブ２２の長さ方向と異なる方向に枝分かれするように形成される。また、枝リブ２４の端部２４ｂは斜面部を形成し、端部２３ｂが周囲稜線１７に到達しない位置に配置されていればよい。
【００４２】
補強リブ３９は、樹脂成形されて面積が広い背面平面１８の枝リブ２３と枝リブ２４の周辺をさらに強化する一方で、周囲稜線１７の付近は強化しない。したがって、補強リブ３９は、高次振動モードに伴う振動を抑制し、一方で、周囲稜線１７を節とする低次モードに伴う振動を励起し、さらに、低次モードに伴う振動のレベル及び周波数を、枝リブ２３および枝リブ２４の構成を変えて調節できる。その結果、背面方向への寸法が制限された薄型のスピーカーキャビネット１０の場合に樹脂成形されて面積が広い背面平面１８を有する背面板１６を備えていても、さらに音質に優れたスピーカーシステム１を提供することができる。
【産業上の利用可能性】
【００４３】
本発明のスピーカーキャビネットは、スピーカースタンド等に設置して使用されるスピーカーシステムのみならず、天井面や壁面に埋め込む埋込型スピーカーにも適用が可能である。
【図面の簡単な説明】
【００４４】
【図１】本発明の好ましい実施形態によるスピーカーキャビネット１０について説明する図である。（実施例１）
【図２】本発明の好ましい実施形態によるキャビネット部材１４について説明する図である。（実施例１）
【図３】本発明の好ましい実施形態によるキャビネット部材１４の放射音の周波数特性を表すグラフである。（実施例１）
【図４】本発明の他の好ましい実施形態によるキャビネット部材１４について説明する図である。（実施例１）
【図５】本発明の好ましい他の実施形態によるキャビネット部材１４について説明する断面図である。（実施例２）
【符号の説明】
【００４５】
１            スピーカーシステム
１０          スピーカーキャビネット
１１          バッフル板
１２、１３    スピーカー取付孔
１４、３４    キャビネット部材
１５          側面板
１６          背面板
１７          周囲稜線
１８          背面平面
１９、３９    補強リブ
２０          主リブ
２１          第１副リブ
２２          第２副リブ
２３、２４    枝リブ
【図１】
2007123963.tif 000003
【図２】
2007123963.tif 000004
【図３】
2007123963.tif 000005
【図４】
2007123963.tif 000006
【図５】
2007123963.tif 000007